(57)【特許請求の範囲】
【請求項１】
建物上に配置された複数のレールと、該レール上に移動可能に設置された複数のトラス型支持枠と、該トラス型支持枠に保持された複数の太陽電池モジュールとを有する可動式架台であって、前記トラス型支持枠が折畳み可能に設けられており、前記建物の調整、補修時には、該支持枠を折り畳んで建物上の一端に移動し、該支持枠を介して複数の太陽電池モジュールを重ね合わせて収納するようにしたことを特徴とする太陽電池モジュールの可動式架台。
【請求項２】
上記建物が水処理槽であり、該水処理槽上の一端に前記太陽電池モジュールを重ね合わせて収納するようにしたことを特徴とする請求項１に記載の太陽電池モジュールの可動式架台。
【発明の詳細な説明】
【０００１】
【発明の属する技術分野】
本発明は太陽電池モジュールの可動式架台に関し、さらに詳しくは太陽電池モジュールが配置された建物の調整、補修時にこれらを重ね合わせて収納することができる太陽電池モジュールの可動式架台に関するものである。
【０００２】
【従来の技術】
従来より、建物の屋根などに太陽電池モジュールを設置して太陽エネルギーを電気エネルギーや熱エネルギーに変換して有効利用する試みがなされている。下水やし尿等の水処理施設においても同様であり、特に広い敷地に設置され、曝気動力等を必要とするエアータンクなどの建物上に太陽電池モジュールを設置し、得られた電気エネルギーや熱エネルギーを種々の動力源や熱源として利用することが行われている。
しかし、これらの施設に太陽電池モジュールを設置すると、該施設の定期的な点検補修作業やシャットダウン時の調整、補修を行う場合には、建物上に設けた太陽電池モジュールを移動したり取外す必要があり、作業性に劣るという欠点があった。
【０００３】
【発明が解決しようとする課題】
本発明の課題は、上記従来技術の問題点を解決し、建物上に設置された太陽電池モジュールの移動が容易であり、かつ該建物施設の調整、補修時には複数の太陽電池モジュールを重ね合わせて収納することができる太陽電池モジュールの可動式架台を提供することにある。
【０００４】
【課題を解決するための手段】
本願で特許請求される発明は以下の通りである。
（１）建物上に配置された複数のレールと、該レール上に移動可能に設置された複数のトラス型支持枠と、該トラス型支持枠に保持された複数の太陽電池モジュールとを有する可動式架台であって、前記トラス型支持枠が折畳み可能に設けられており、前記建物の調整、補修時には、該支持枠を折り畳んで建物上の一端に移動し、該支持枠を介して複数の太陽電池モジュールを重ね合わせて収納するようにしたことを特徴とする太陽電池モジュールの可動式架台。
（２）上記建物が水処理槽であり、該水処理槽上の一端に前記太陽電池モジュールを重ね合わせて収納するようにしたことを特徴とする（１）に記載の太陽電池モジュールの可動式架台。
【０００５】
【発明の実施の形態】
以下、本発明を図面により詳しく説明する。
図１は、本発明の一実施例による太陽電池モジュールの可動式架台の説明図である。
図１において、太陽電池モジュールの可動式架台は、水処理槽密閉用屋根５の上に平行に配置された複数のレール４と、該２本のレール４上にそれぞれ移動可能に設置され、折畳み可能な複数の移動式トラス型支持枠２と、該２本のレールの一端に固定して設けられる固定式トラス型支持枠３と、該移動式トラス型支持枠２および固定式トラス型支持枠３上にそれぞれ保持された太陽電池モジュール１とから構成される。なお、図１中、６は水処理槽密閉用側壁、７はコンクリート槽外壁を示す。
【０００６】
このような構成において、太陽電池モジュールの発電時には、太陽電池モジュール１を保持した移動式トラス型支持枠２が水処理槽密閉用屋根５上の全面または一部に太陽エネルギーを効率よく摂取できるように配置される。また太陽電池モジュールを該施設から取り外す必要がある時には、移動式トラス型支持枠２は、レール４の一端に固定して設置された固定式トラス型支持枠３の場所に移動され、該移動式トラス型支持枠２を折り畳んで固定式トラス型支持枠３に重ね合わせる。移動式トラス型支持枠２の移動手段には特に制限はなく、支持枠の足部をレール４に設けた溝に勘合させ、摺動して移動するようにしてもよく、また足部に車輪を取り付けてもよい。
【０００７】
図２は、固定式トラス型支持枠３と折畳み可能な移動式トラス型支持枠２の配置を説明した側面図であり、(a) は太陽電池モジュールの発電時または稼働時の配置を、(b) は太陽電池モジュールの休止撤去時の配置を示す図である。
図２において、固定式トラス型支持枠３は、レール４の一端に固定して設置される。移動式トラス型支持枠２は、そのレール４に接する足部には車輪８を有し、また太陽電池モジュール１を支持する支持部に折畳式固定具（ヒンジ部）９を有し、太陽電池モジュール１の稼働時には折畳式固定具９をロックしてトラス型の構造を保持し、車輪８によりレール４上を移動して、それぞれのモジュール１が重ならない位置に配置される。一方、太陽電池モジュール２の休止時、例えば、生物学的水処理施設のエアータンクインジェクター取外しや沈殿池掻寄機取外し補修時などには折畳式固定具９のロックを解除し、モジュール１を支持する支持部を該モジュール１の裏面に折り畳み、固定式トラス型支持枠３に保持されたモジュール面に重ね、順次移動式トラス型支持枠２を積み重ねて収納される。
【０００８】
これにより、水処理槽密閉用屋根に該槽内に出入りするための作業用入口や作業のためのスペースを太陽電池モジュールの設置箇所以外の場所に設ける必要がなくなるため、太陽電池設置可能面積を増大させることができる。また太陽電池モジュールを取り外す作業が不要となり、作業性が向上する。
また水処理槽密閉用屋根上に設けるレール４を、建物構造材として使用できるため、架台設置によるコストの上昇を抑えることができる。
【０００９】
さらに曝気槽や沈殿池などの水処理施設に太陽電池モジュールの可動式架台を設ける場合には、図３に示すように、レール間およびレールを保持するために梁を設置する場合には該梁間に、樹脂シートまたはパネルを設置してカバーとすることができる。さらにレールや梁を部分的に取外し可能とすることにより、これらの槽内の点検作業や沈殿物掻寄せ作業が容易となるため、好ましい。
なお、本発明の太陽電池モジュールの可動式架台は上水および下水等の水処理施設への設置に限定されるものではない。
【００１０】
【発明の効果】
本発明によれば、建物上に配置された太陽電池モジュールの発電休止時に重ね合わせて収納することができるため、太陽電池設置可能面積が向上し、またモジュール架台のレールを建物の構造材に使用できるため、設置コストの上昇を抑えることができる。
【図面の簡単な説明】
【図１】本発明の一実施例を示す太陽電池モジュールの可動式架台の説明図。
【図２】本発明に用いられるトラス型支持枠の配置説明図。
【図３】水処理槽密閉用屋根上のレールおよび梁の配置例を示す図。
【符号の説明】
１…太陽電池モジュール、２…移動式トラス型支持枠、３…固定式トラス支持枠、４…レール、５…水処理槽密閉用屋根、６…水処理槽密閉用側壁、７…コンクリート槽外壁、８…車輪、９…折畳式固定具、１０…梁。
【図１】
0004313897.tif 000002
【図２】
0004313897.tif 000003
【図３】
0004313897.tif 000004